(57)【要約】【課題】ペットなど糞の始末を簡単にし、かつ携帯の便を図る。【解決手段】収納部１、支持部材２、糞受け袋１Ａ、把持部からなり、前記収納部は物入れ開口を有し、その一端で支持部材に回動可能に支持され、開口に糞受け袋１Ａを収容すると共にステッキ様の支持部材先端には車輪等の可動部材７を設置する。  ペットの脱糞動作に応じて、支持部材を操作して収納部をペットの肛門位置に配置し、糞便を受けることができる。  使用後は、糞受け袋１Ａを外して畳み、収納部も折り畳んで携帯の便を図ることができる。【選択図】図１
0003117669.tif 000002
【実用新案登録請求の範囲】
【請求項１】
動物用糞受け装置であって、
収納部、支持部材、糞受け袋、把持部からなり、
前記収納部は物入れ開口を有し、本体側が開放されている回動枠体であり、該収納部の本体側は固定部材により支持部材に組付け、回動可能に枢設、又は支持部材と一体に構成され、
前記収納部は、回動した位置において係止突起などの組付け部材、クリップ、吸着作用のある粘着部材のいずれかからなる固定部材により固定可能にされ；
前記支持部材は、握部を備える支持体であって、該支持部材の脚部、前記収納部の底部にはそれぞれ可動部材、緩衝部材及び係止部材から選ばれる少なくとも一つを備え、前記可動部材は輪状部材、球状部材、玉状部材、軸状部材、履帯、などの可動部材の内の少なくとも一つを採用し、前記緩衝部材は気圧部材、油圧部材、液圧部材、磁気部材、弾性部材、減衰部材、などの緩衝部材の内の少なくとも一つを採用し、前記係止部材は部材の位置決め、調整及び制動に用いる手段であり；
前記糞受け袋は、物入れ開口部を有する袋体で、反復して使用可能な粘着又は適宜固定部材により収納部又は支持部材の上に設置され；
前記収納部、糞受け袋の内の少なくとも一つは支持部材上において把持部と異なる位置に設置され、前記支持部材、収納部、糞受け袋のそれぞれには前記固定部材の内の少なくとも一つが設けられることにより、組合せ又は相互固着を可能にし、前記収納部は固定部材を介して適宜角度で固定されるように構成されてなる、
ことを特徴とする動物用糞受け装置。
【考案の詳細な説明】
【技術分野】
【０００１】
本考案は動物用糞受け装置に関する。
【背景技術】
【０００２】
従来の動物、ペットの糞処理方法は、一般的には糞を地面に落下した後、拾い上げ、又は挟み取り、又は清掃する。市販されているペーパー、ビニール袋、糞取り器、挟み器、スコップ又は箒等の拾い上げ、挟み取りによる清掃用補助器具は、地面を汚染し、拾い上げが面倒で、安全性への配慮が欠かせないほか、消耗品の購入が別途必要等の不具合があった。
【考案の開示】
【考案が解決しようとする課題】
【０００３】
上述した不具合を鑑みて、ペットの糞の地面への落下を防止し、また、落下してもすくい取り、拾い上げ、清掃することが可能であるなどの多機能を備える目的を達成するために、絶え間ない努力と試行錯誤を重ねた結果、進歩性、実用性、新規性を有する動物用糞受け装置を研究開発した。
【特許文献１】特開２００４−２４２５２０号公報
【特許文献２】特開２００２−８４９１６号公報
【特許文献３】特開２００２−１０８号公報
【課題を解決するための手段】
【０００４】
本考案に係る動物用糞受け装置は、収納部、支持部材、糞受け袋、把持部から構成される。
収納部は物入れ開口部を有し、本体側が開放されている回動枠体であり、該収納部の本体両側は固定部材を介して支持部材に組付け、枢設されるか、又は支持部材と一体に構成される。前記収納部は、使用に際して回動して係止突起又は適宜の固定部材を介して適宜角度で固定される。前記固定部材は組付け部材、挟着部材、吸引粘着部材の内のいずれかで良い。
支持部材は、把握部を備えた棒状体で、該支持部材の脚部、前記収納部の底部にはそれぞれ可動部材、緩衝部材及び係止部材から選ばれる少なくとも一つを備える。前記可動部材は、輪状部材、球状部材、玉状部材、軸状部材、履帯、などの可動部材の内のいずれかを採用し、前記緩衝部材は気圧部材、油圧部材、液圧部材、磁気部材、弾性部材、減衰部材、などの緩衝部材の内の少なくとも一つを採用し、前記係止部材は部材の位置決め、調整及び制動に用いる手段である。
【０００５】
糞受け袋は、物入れ開口部を有する袋体で、反復して使用可能な粘着性又は適宜の固定部材を介して収納部又は支持部材の上に取り付けることができる。
前記収納部、糞受け袋の内の少なくとも一つは支持部材上において把持部と離れた位置に設置され、前記支持部材、収納部、糞受け袋のそれぞれには前記固定部材の内の少なくとも一つが設けられることにより、組合せ又は相互固着を可能にし、前記収納部内の回動枠体は固定部材により適宜な角度で固定されるように構成される。
本考案に係る動物用糞受け装置には、下記の付属部材を個別に又は合わせて組付けることもできる。
支持部材は、廃棄物収納部、身回り品収納部、照明手段、動物引き具の内の少なくとも一つを更に配置することが可能である。
支持部材の把持部は、操作部材、健康部材の内の少なくとも一つを更に含むことが可能で、操作部材は押圧手段で、伝動部材を介して作動回転できる部材で、又は操作回路に用いられる。健康部材はマッサージ、針灸等の養生保健手段である。
支持部材の脚部、収納部の底部は、それぞれ可動部材、緩衝部材及び係止部材の内の少なくとも一つを更に含み、前記可動部材は輪状部材、球状部材、玉状部材、軸状部材、履帯などの可動部材の内の少なくとも一つを採用し、前記緩衝部材は気圧部材、油圧部材、液圧部材、磁気部材、弾性部材、減衰部材、などの緩衝作用を有する部材の内の少なくとも一つを採用し、係止部材は部材の位置決め、調整及び制動作用を有する手段である。
収納部及び糞受け袋は糞検査用器具を更に含むことができ、収納部及び糞受け袋の開口部はさらに相互交換可能な共用スコップ、蓋体の内の少なくとも一つを含み、収納部及び糞受け袋の側部、支持部材の把持部、スコップ、蓋体はそれぞれ回動部材としても良い。
収納部、糞受け袋は、網状、孔状、筒状、角形、錐型、スコップ型、リング型、枠型、クリップ型のような、相互交換可能な形状、形態である。
【考案の効果】
【０００６】
本考案の動物用糞受け装置によれば、ペットなど糞の始末を地面などの汚すことなく、簡単な動作によって処理することが可能であり、装置はコンパクトであって携帯の便を図ることができる。
【考案を実施するための最良の形態】
【０００７】
本考案における各構成を明らかにするため、以下、添付図面を参照して最良の実施形態を詳しく説明する。
先ず、図１〜図５を参照されたい。本考案における収納部１は、両側端が開放した枠状部材（略Ｃ状及び同様に枠体をなす形状）に形成され、且つ支持部材２に対して把持部２０と異なる位置に回動可能に枢設される。把持部２０は、支持部材２と一体成型されるか、又は別体作成後に結合して設けることができる。支持部材２は、単体部材か、複数段に繋いで組合わせたもの、例えば、ステッキ又は登山杖等の杖類、傘の中棒、モップの棒、伸縮棒や押し棒（引き棒）等の棒類、其の他の把握して支持に供することのできる支持体である。
また、支持部材２の脚部には輪状部材、球状部材、玉状部材、軸状部材、履帯などの可動部材７の内の少なくとも一つを付設可能で、これらには更に、気圧部材、油圧部材、液圧部材、磁力部材、弾力性部材、減衰部材などの緩衝部材７Ａの内の少なくとも一つを更に付設することができる。また、位置決め止め金、調節ほぞ、止め具、滑り止め等の慣用された係止部材（図示せず）も付設することができる。
【０００８】
図１に示されるように、収納部１は略Ｃ状の枠に形成された開口１０を有する線状部材であり、その本体両側と支持部材２にはいずれも挿通孔１０を設けて、ピン、ボルト又は軸等の回動部材４を介して支持部材に回動可能に取り付けられて構成される。又は、収納部１のＣ状両端の凸軸を支持部材の嵌挿孔１０に挿入して回動可能に枢設、若しくは他の方式により回動可能に枢設する。回動部材４は、固定部材３を介して適宜角度に固定することができ、これに対して係止突起である固定部材３Ｃ、３Ｄは支持部材２又は他の部材上に設けることができ、収納部１を回動して固定部材３Ｃ、３Ｄをにより適宜角度で掛止して固定することができる。糞受け袋１Ａは、物入れ開口１０を有する袋体で、展開された平面形状から錐形体に折り畳み可能であって、開口１０の縁端部には収納部への固定用や摘み部となるラグ部１２が設けられても良く、糞受け袋１Ａは扁平に畳むことも可能であるから、携帯に至便である。糞受け袋１Ａと、収納部１との装着箇所には反復して使用可能な粘着材などの貼付用固定部材３を設けることができる。
【０００９】
図２に示されるように、本考案においては支持部材２を伸縮自在な構造とすることにより、これを適宜長さに調整して使用可能である。収納部１は、セットされたその収容位置から下方に回動して下げて固定部材３Ｄにより適宜角度で掛止して固定することができる。この状態で糞受け袋１Ａの開口１０を開いたまま収納部１に取り付け、好ましくはラグ部１２を外側に折り返すようにすれば糞受け袋は外れたり、ズレたりすることなく、固定部材３により位置決め貼着される。糞受け袋１Ａの上に同様の方式でさらに糞受け袋を重ねることにより、厚さを増して強化することもできる。このような構成により、本考案の動物用糞受け装置は、日常生活空間及び戸外の両方ともに使用可能である。
例えば、犬、猫等の動物は糞をする前に、通常しゃがむ動作を行うが、この際使用者は可動部材７により支持体を操作して糞受け袋１Ａを肛門の下に配置して糞を受取り、随時移動して排便終了まで連続的に受取り可能であるから、糞を地面に落下させることなく、屈んで拾い上げる必要をなくしただけでなく、たとえ糞を受け取れない場合でも、糞受け袋１Ａを取り出し、地面に落下した糞をすくい上げて拾い、清掃することができる。
本考案における押圧固定部材３は、弾性クリップ３Ａと一体成型可能であり、押圧固定部材３を支持部材２に嵌設することにより、弾性クリップ３に廃棄物収納部５又は携帯用身の周り品収納部５などを掛けて支持することができる。
【００１０】
図３に示すように、使用後、ラグ部１２により糞を収納した糞受け袋１Ａを取り出し、ラグ部を摘んで扱うことにより手を汚さずに開口１０を密封し、糞受け袋１Ａを収納部５の中に納める。次いで、収納部１を持ち上げ、固定部材３Ｃにより邪魔にならないように支持部材２に押し当てて掛止して固定させると、杖などとして支持部材２の本来の機能を回復させることができる。
本考案における糞受け袋１Ａは、紙などの材料を利用してＤＩＹ（Ｄｏ  Ｉｔ  Ｙｏｕｒｓｅｌｆ）でできる。そのほか、収納部１は収納部５又は同様の形態の部材で代替可能であり、その場合、収納部５を開き、糞受け袋１Ａを収納部５に被せ、好ましくは端部を外側に折り返すように固定して使用する。また、糞受け袋１Ａにリトマス反応などの検査機能を持たせることにより、例えば、糞受けと同時にＰH値、寄生虫等疾病の監視測定が可能である。収納部１の外縁上方に略大きくて収納部１に被せる環状固定部材を配設することができ、当該固定部材はその重さ又は被せ力により糞受け袋１Ａ及びその機能を兼ねる収納部５の端部を固定し、よって反復して使用可能な粘着性貼付用固定部材３を省略して代替できる。
【００１１】
本考案における支持部材２には、別体の、又は組合わせた構造として携帯しやすいように動物用引き紐又は照明器具などを設けることができ、把持部２０はさらにマッサージ、針灸等の養生、保健装置を組み込むことが可能であり、これらの機能に合せて把持部２０は回動部材にすることができる。
図４に示されるように、収納部１のＣ形の中段には回動部材４Ａを設けることが可能で、且つ支持部材２にはこれに対応して受け部を凹設し、回動部材４Ａの他端を略Ｃ形に形成して、相対する支持部材２に嵌挿することにより収納部１の支持角度を調整することにより、点線で示した糞受け袋１Ａを収納することができる。固定部材３Ｂは線材により作成可能で、略ペンクリップ形状として、一端を支持部材２に固定し、他端は開放された状態であって、折り曲げてスリット状に形成した形状によって支持部材に向けて弾性挟持力を持たせる。該固定部材３Ｂは、その弾性挟持力による押圧力で支持部材２に密に接触することにより、点線で示した糞受け袋１Ａを支持部材との間に押圧して固定する。
【００１２】
図５に示されるように、糞受け袋１Ａを取り出した後、収納部１を回転して縦にして支持部材２の受け部に接触させ、固定部材３Ｂのスリットにより回動部材４Ａの中段を挟持して、脱落しないように固定すると共に、収納部１を畳んで体積を減らすことができ、携帯、収納に至便である。
図６〜図９は、本考案に関する他の好適な実施形態の構造を示す略図である。これらにおける、固定部材３、３Ａ、３Ｂ、３Ｃ、３Ｄはその必要に応じて、嵌合、挟持、挿入、結び、施錠、螺着、詰め、縛り、吊り、掛け等に用いる結合部材、構造と、突起、当接、滑止め、摩擦、クリップ、フレーム、カバー、ピン、押圧、被せ等のクリップと、粘着テープ、吸盤、磁力部材、静電性粘着テープなどの吸引粘着部材と、から選ばれる少なくとも一つとして良い。
図６に示されるように、収納部１を杓子状容器として、その本体側を支持部材２と一体成型することができる。糞受け袋１Ａは、締付け又は吸着作用のある粘着用固定部材３を介して収納部１に対し位置決めされる。可動部材、緩衝部材（図示せず）、係止部材は必要に応じて設置されるが、これらも収納部１の底部に設置され得る。
【００１３】
図７に示されるように、収納部１は、スコップ部材１１を備えた塵取り型の構造でもよく、収納部１と支持部材２は嵌着又は螺着可能な固定部材３Ａを介して互いに組立てられ、収納部１の本体側は回動部材にしても良い。収納部１本体の適宜位置には漏斗状の開口端１０を設けても良く、セットされる糞受け袋１Ａは、粘着用固定部材３の締付け又は吸着作用、漏斗口端１０の挟持力により収納部１に対して位置決め固定される。
また、支持部材又は収納部の任意の位置に収納部の方向又は角度又はバランス調整用のラチェット、カルダン、枢軸、減衰器などの周知の機構（図示せず）を付設することができ、使用する際、人が屈むなどの窮屈な姿勢を要せずに直接糞受けを行いうる快適な方位及び長さまで調整することができ、地面に落下した糞のすくい、清掃も可能にする。このような機構を備えることにより糞が外に漏洩することなく口端１０に集中収納され、糞の受取り、すくい、掃く動作を単純な操作により達成でき、別途ごみ袋を携帯する必要もなく、備え付けの糞受け袋１Ａを使用後、折り畳んで収納することができる。
図８に示されるように、本考案における固定部材３はさらにクリップ３Ｂ、吸着作用のある粘着部材のうちの少なくとも一つを含む。支持部材２、収納部１、糞受け袋１Ａは、互いに組立て又は相互固定しやすくするため、それぞれ前記固定部材３の少なくとも一つを設けておき、本考案における部材は全て固定部材３を用いて再び互いに組み合わせることができる。収納部１及び糞受け袋１Ａの本体側にはさらに支持部材２に対する取付け用固定部材３を含む。各固定部材（例えば：３、３Ｂ）、各部材（例えば：１、３Ｂ）はそれぞれ支持部材上に個別に設置してから相互に組合せ又は一体的に結合することができる。
【００１４】
図９に示されるように、固定部材３を介して支持部材２に収納部１と締め付け部材３Ｂを嵌設することができ、両者（１と３Ｂ）は支持部材に対し着脱可能にすると共に摺動できる。回動する３Ｂは磁力吸着、静電性粘着、弾力、押圧力等の方式により、折り畳まれていた糞受け袋１Ａを収納部１にセットするか、又は収納部１を設けずに、クリップ３Ｂにより糞受け袋１Ａを支持部材２に直接設けることもできる（図示せず）。支持部材２、固定部材３、固定部材３Ｂ、収納部１、糞受け袋１Ａ等の部材はそれぞれの取り付け方向、角度、高低、バランスなどの調整機能を有しても良い。
【００１５】
図１０〜図１４は、本考案の組立て操作部材に関する好適な実施形態の構造を示す略図である。そのうち、支持部材の把持部はさらに操作部材６を含み、この操作部材６は押圧又は引っ張り手段で、便利クリップ及び挟持構造のクリップ装置のように、伝動部材６を介して回動する他の部材（例えば：収納部１、スコップ１１、可動部材７、緩衝部材７Ａ、固定部材３Ｂ等）を操作することができる。
操作部材６と操作される他の部材の間には伝動部材６を用いて適宜直列連結することができ、その中には幾つかの伝動部材６通過用通路１０を設けても良い。操作部材６は電子又は伝動装置の制御に用いる回路のオンオフ操作することもできる。伝動部材６と操作部材６は互いに代替することができる。
図１０に示されるように、本考案における収納部１の開口１０に、回動部材４を用いてスコップ部材１１を回動可能に枢設することが可能で、このスコップ部材は、受け取り、すくい、掃き、施蓋に用いられると共に、伝動部材６により操作される（図示せず）。収納部１にはその形状に合せた糞受け袋を付設することができる。
図１１に示されるように、使用後、伝動部材６を引っ張ると、スコップ部材１１は回動して蓋として収納部１を覆うことになり、収納物の飛散、脱落を防止する。また、収納部を使用し、又は収納物を取り出す際には、支持部材２側を持ち上げて収納部１を若干傾くようにすれば、重さにより自動的にスコップ部材１１が開くようになる。
図１２に示すように、本考案は、自動的な操作とすることも可能である。伝動部材６を裏面側に配置してその両端をそれぞれ支持部材２、スコップ部材１１に直結し、支持部材の握り部で区間を空けて伝動部材を支持部材端部に固定しておき、伝導部材６と支持部材２を同時に握れば、押さえ込まれた伝動部材６によりスコップ部材１１が裏面側から引かれて展開し、収納部１を使用可能となる。
【００１６】
図１３に示すように、使用後、握っていた手を緩めると、スコップ部材１１はばね等の弾性体、磁力、電力、巻取り器等の任意の手段により自動的に回動して、収納部１を覆い、伝動部材６は原状に復帰する。これらの操作を逆にしても良い。その回動部材４に過度に回動するのを防止するブレーキや緩衝部材を設けても良い。
本考案における収納部１、糞受け袋１Ａの形状や形態は、網状、孔状、筒状、角形、錐型、スコップ型、リング型、枠型、クリップ型のような種々の形状、形態で良く、またこれらの相互交換可能とすることができる。
図１４に示されるように、本考案におけるクリップ（３Ａ、３Ｂ）はいずれも、直接または固定部材３を介して支持部材２の適宜位置に嵌設することが可能であり、本考案の他の部材も同様な方法で設置することができる。例えば、固定部材（３、３Ｃ、３Ｄ）、収納部１、糞受け袋等。図中のクリップ３Ａは身の回り品及び収納部５の掛け止めに用いられ、クリップ３Ｂは操作部材６を介して作動し、実線で示された受け袋１Ａの押圧と、点線で示された受け袋１Ａの取り外し操作に用いる。図中の収納部１は充分な剛性のある構造であれば糞受け袋１Ａで代替可能である。
【００１７】
収納部１が柔らかすぎる場合には、其の上にさらに糞受け袋１Ａ又は収納部１を重ねても良い。または其の中のクリップ３Ｂを蓋状に変更してもよく、且つ操作部材６を介して操作し、収納部１の開口１０の開閉を行う。また、クリップ（３Ａ、３Ｂ）を設置しない場合には、吸着作用のある粘着用固定部材３により収納部１を直接支持部材２の上に設置しても良い。これらと共に可動部材７、緩衝部材７Ａはいずれも個別に分解、組合せしても良く、又は設置しなくても良い。支持部材２の脚部は、滑り止めカラー、棒ぞうきん、キャップ、ブラシ、メッシュ、プラグ、漏斗、その他の端部装着部材に変更しても良い。支持部材２には携帯用身の回り品の収納部５、例えば、飲食容器、リュックサック等を設置しても良い。
【図面の簡単な説明】
【００１８】
【図１】本考案の動物用糞受け装置の収納部周辺を示す斜視図。
【図２】本考案の動物用糞受け装置の１実施例の斜視図。
【図３】本考案の動物用糞受け装置の他の実施例の斜視図。
【図４】本考案の収納部の他の実施例。
【図５】本考案の収納部の他の実施例。
【図６】本考案の動物用糞受け装置の他の実施例の斜視図。
【図７】本考案の動物用糞受け装置の他の実施例の斜視図。
【図８】本考案の収納部の取り付け構造の他の実施例。
【図９】本考案の収納部の取り付け構造の他の実施例。
【図１０】本考案の収納部の他の実施例。
【図１１】本考案の収納部の他の実施例におけるスコップ部を折畳んだ状態を示す。
【図１２】本考案の収納部の他の実施例。
【図１３】本考案の収納部の他の実施例におけるスコップ部を折畳んだ状態を示す。
【図１４】本考案の動物用糞受け装置の他の実施例の斜視図。
【符号の説明】
【００１９】
収納部------------1         糞受け袋---1A      口、孔、洞（経路）---10
スコップ部材---11           ラグ部---12
支持部材---------2          把持部---20
固定部材、組付け部材、クリップ、吸引粘着部材---3、3A、3B、3C、3D
回動部材---4、4A
収納部------------5
操作部材、伝動部材---6
可動部材---------7、緩衝部材---------7A
【図１】
0003117669.tif 000003
【図２】
0003117669.tif 000004
【図３】
0003117669.tif 000005
【図４】
0003117669.tif 000006
【図５】
0003117669.tif 000007
【図６】
0003117669.tif 000008
【図７】
0003117669.tif 000009
【図８】
0003117669.tif 000010
【図９】
0003117669.tif 000011
【図１０】
0003117669.tif 000012
【図１１】
0003117669.tif 000013
【図１２】
0003117669.tif 000014
【図１３】
0003117669.tif 000015
【図１４】
0003117669.tif 000016